(57)【要約】【課題】警報内容を迅速に把握すると共に、処置方法の正確性を向上させ、且つ事後の警報内容の集計を容易としたチェックシートを提供する。【解決手段】この警報チェックシート４ａは、警報発生の監視対象となる監視部位名を記載した監視部位名欄１１ａと、警報が発生した監視部位名欄にマーキングするチェック欄１１ｂと、チェック欄１１ｂにマーキングされた監視部位に係る警報発生時の状況を記録するメモ欄１２と、を備え、監視部位名欄１１ａ及びチェック欄１１ｂを表形式にしたチェック表１１と、メモ欄１２とを１枚のシート上に構成したものである。そして、シートの左上部に「警報チェックシート」１０であることが明記されている。【選択図】図２
2010099919.tif 000002
【特許請求の範囲】
【請求項１】
警報発生時の状況を記録するチェックシートであって、
警報発生の監視対象となる監視部位名を記載した監視部位名欄と、警報が発生した前記監視部位名欄にマーキングするチェック欄と、該チェック欄にマーキングされた監視部位に係る警報発生時の状況を記録するメモ欄と、を備え、
前記監視部位名欄及びチェック欄を表形式にしたチェック表と、前記メモ欄とを、少なくとも１枚のシート上に形成したことを特徴とするチェックシート。
【請求項２】
前記監視部位名を機能ごとに分類して前記チェック表を構成することを特徴とする請求項１に記載のチェックシート。
【請求項３】
前記監視部位が存在する建屋ごとに分類して前記チェック表を構成することを特徴とする請求項１に記載のチェックシート。
【請求項４】
監視部位を集約して表示する警報表示盤上に配列された前記監視部位と同じ配列で前記チェック表を構成することを特徴とする請求項１に記載のチェックシート。
【請求項５】
前記チェック表と前記メモ欄とを前記監視部位名の機能ごとに少なくとも１枚のシート上に形成することを特徴とする請求項１に記載のチェックシート。
【請求項６】
前記監視部位名を５０音別に分類して前記チェック表を構成することを特徴とする請求項１に記載のチェックシート。
【請求項７】
前記監視部位名をアルファベット別に分類して前記チェック表を構成することを特徴とする請求項１に記載のチェックシート。
【請求項８】
前記メモ欄は、少なくとも前記監視部位名、警報発生年月日、警報発生時刻、当該警報の具体的な内容及び当該警報に対する処置内容を記録することを特徴とする請求項１乃至７の何れか一項に記載のチェックシート。
【発明の詳細な説明】
【技術分野】
【０００１】
本発明は、チェックシートに関し、さらに詳しくは、警報発生時の状況を記録するチェックシートの記載フォーマットに関するものである。
【背景技術】
【０００２】
従来から大型プラント装置の稼動状態を監視するために、大型プラント装置を構成する主要な構成要素を監視対象物として指定し、各監視対象物に備えた検出器からの情報を制御コンソールや警報表示盤に集約して、各監視対象物の動作状態をランプ表示や警報音等により報知している。特に、警報が発生した場合は、該当する監視対象物のランプ表示を点滅させ、且つ警報音により異常が発生したことを操作員に報知することが成されている。このとき操作員は、その警報個所をランプ表示から把握して、監視対象物名、発生時刻、発生月日或いは警報の状況等をノート或いはメモ用紙等に記録していた。
【発明の開示】
【発明が解決しようとする課題】
【０００３】
しかしながら、従来のノート或いはメモ用紙による方法では、記録内容のフォーマット化が十分に成されていないため、操作員の主観的な判断による記録しか残らず、後日、異常報告書としてまとめるとき、必要な情報が欠落したり、或いは情報の正確性が損なわれるといった問題がある。
本発明は、かかる課題に鑑みてなされたものであり、監視部位名を記載した監視部位名欄と警報発生時に該当する監視部位名欄に印を付するチェック欄とを備えたチェック表と、チェック欄に付された監視部位に係る警報発生時の状況を記録するメモ欄と、を１枚のシートとして構成することにより、警報内容を迅速に把握すると共に、処置方法の正確性を向上させ、且つ事後の警報内容の集計を容易としたチェックシートを提供することを目的とする。
【課題を解決するための手段】
【０００４】
本発明はかかる課題を解決するために、請求項１は、警報発生時の状況を記録するチェックシートであって、警報発生の監視対象となる監視部位名を記載した監視部位名欄と、警報が発生した前記監視部位名欄にマーキングするチェック欄と、該チェック欄にマーキングされた監視部位に係る警報発生時の状況を記録するメモ欄と、を備え、前記監視部位名欄及びチェック欄を表形式にしたチェック表と、前記メモ欄とを、少なくとも１枚のシート上に形成したことを特徴とする。
警報発生時にその状況を記録するチェックシートは、迅速性、正確性及び事後における情報集計の容易性が求められる。そのためには、客観的にチェックが可能なように、チェックシートのフォーマット化（標準化）が必要である。そこで本発明では、１枚のチェックシートに監視部位名欄及びチェック欄を一まとめにしたチェック表と、チェック欄にマーキングされた監視部位に係る警報発生時の状況を記録するメモ欄とを１枚のシート上に構成するようにした。これにより、警報が発生した監視部位名にマーキングするだけで、警報が発せられた監視部位が明確になり、そのときの状況をメモ欄に記録することで、警報が発せられた監視部位の状況を更に具体的に把握することができる。
【０００５】
請求項２は、前記監視部位名を機能ごとに分類して前記チェック表を構成することを特徴とする。
警報が発せられたとき対象監視部位が多数ある場合、チェック表から迅速に警報が発せられた監視部位を見つける必要がある。そのとき、監視部位名を機能ごとに分類しておけば、無駄な検索を減らして迅速に対象監視部位を見つけることができる。
請求項３は、前記監視部位が存在する建屋ごとに分類して前記チェック表を構成することを特徴とする。
警報が発せられた監視部位が見つかった場合、その監視部位がどの建屋にあるかが分かれば、即座にその場所に行って対策を打つことができる。そこで本発明では、監視部位が存在する建屋ごとに分類してチェック表を構成するものである。これにより、迅速に現場に行くことができる。
【０００６】
請求項４は、監視部位を集約して表示する警報表示盤上に配列された前記監視部位と同じ配列で前記チェック表を構成することを特徴とする。
警報表示盤の表示に基づいてチェック表を作成する場合、警報表示盤に配列した監視部位とチェックシートの監視部位名が同じ配列になっていれば、警報を発している監視部位がチェックシート上のどこにあるかを即座に把握することができる。これにより、警報表示盤から発せられた警報がチェックシート上のどの監視部位かを迅速に認識することができる。
請求項５は、前記チェック表と前記メモ欄とを前記監視部位名の機能ごとに少なくとも１枚のシート上に形成することを特徴とする。
多数の監視部位が同時に警報を発した場合、１枚のチェックシートにあるメモ欄に全ての状況を記録すると、煩雑になって監視部位と状況記録が明瞭でなくなる場合が発生する。そこで本発明では、機能毎にチェックシートを分けて作成するものである。これにより、同じ機能同士が１枚のチェックシートに記録され、監視部位と状況記録が明確に対応付けることができる。
【０００７】
請求項６は、前記監視部位名を５０音別に分類して前記チェック表を構成することを特徴とする。
警報が発せられたとき対象監視部位が多数ある場合、チェック表から迅速に警報が発せられた監視部位を見つける必要がある。そのとき、監視部位名を５０音別に分類しておけば、無駄な検索を減らして迅速に対象監視部位を見つけることができる。
請求項７は、前記監視部位名をアルファベット別に分類して前記チェック表を構成することを特徴とする。
警報が発せられたとき対象監視部位が多数ある場合、チェック表から迅速に警報が発せられた監視部位を見つける必要がある。そのとき、監視部位名をアルファベット別に分類しておけば、無駄な検索を減らして迅速に対象監視部位を見つけることができる。
請求項８は、前記メモ欄は、少なくとも前記監視部位名、警報発生年月日、警報発生時刻、当該警報の具体的な内容及び当該警報に対する処置内容を記録することを特徴とする。
警報が発せられた監視部位は、後日、報告書等を作成したり、警報の原因を突き止めるためにメモ欄に、その監視部位に対する最小限必要な情報を記録する必要がある。それには、どの部分（監視部位名）で、何時（警報発生年月日、警報発生時刻）、どのような内容の警報が発せられ、それに対してどのような処置を施したかが記録される必要がある。これにより、事後の原因究明に必要な最小限の情報を得ることができる。
【発明の効果】
【０００８】
本発明によれば、警報発生時の状況を記録するチェックシートであって、警報発生の監視対象となる監視部位名を記載した監視部位名欄と、警報が発生した監視部位名欄にマーキングするチェック欄と、該チェック欄にマーキングされた監視部位に係る警報発生時の状況を記録するメモ欄と、を備え、監視部位名欄及びチェック欄を表形式にしたチェック表と、メモ欄とを１枚のシート上に構成したので、警報が発生した監視部位名にマーキングするだけで、監視対象部位が明確になり、そのときの状況をメモ欄に記録することで、監視対象部位状況を更に具体的に把握することができる。
【発明を実施するための最良の形態】
【０００９】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明のチェックシートを常備した警報表示卓の一例を示す外観図である。この警報表示卓１００は、本体１が卓状の形態により構成されており、図示しない操作員が椅子に座った状態で視認可能な位置に警報表示盤２があり、その下に、警報表示盤２から警報が発せられた場合に、その監視部位に対して指示する操作部３が備えられている。そして、警報表示卓１００の側部には本発明の警報チェックシート４が常備されている。尚、図１では、警報表示盤２は機能別にＡ〜Ｄに分類されて表示される。
次に、警報表示卓１００により警報が発せられた場合の動作について概略を説明する。図示しない操作員は、常時、警報表示卓１００の警報表示盤２の変化を監視している。そして警報表示卓１００は、大型プラント装置の稼動状態を監視するために、各監視対象物に備えた検出器からの情報を警報表示卓１００に集約して、各監視対象物の動作状態を警報表示盤２に設けたランプ表示や警報音等により報知するように構成されている。ここで、何れかの監視対象物に備えた検出器から異常状態を知らせる情報が発せられると、それに対応した警報表示盤２に設けたランプが点滅する。このとき異常のレベルにより警報を同時に発する場合もある。操作員は即座に警報表示卓１００の側部に常備された警報チェックシート４に、警報が発せられたランプがどの監視部位であるかを検索してチェック欄にマーキングすると共に、警報の発生時刻、その状況、どのように対処したかをメモ欄に記録する（詳細は後述する）。尚、操作員は警報のレベルにより、操作部３を操作して関係部署に連絡したり、その処置を指示する。
【００１０】
図２は本発明の第１の実施形態に係る警報チェックシートの一例を示す図である。この警報チェックシート４ａは、警報発生の監視対象となる監視部位名を記載した監視部位名欄１１ａと、警報が発生した監視部位名欄にマーキングするチェック欄１１ｂと、チェック欄１１ｂにマーキングされた監視部位に係る警報発生時の状況を記録するメモ欄１２と、を備え、監視部位名欄１１ａ及びチェック欄１１ｂを表形式にしたチェック表１１と、メモ欄１２とを１枚のシート上に構成したものである。そして、シートの左上部に「警報チェックシート」１０であることが明記されている。
即ち、警報発生時にその状況を記録する警報チェックシートは、迅速性、正確性及び事後における情報集計の容易性が求められる。そのためには、客観的にチェックが可能なように、警報チェックシートのフォーマット化（標準化）が必要である。そこで本実施形態では、１枚の警報チェックシートに監視部位名欄１１ａ及びチェック欄１１ｂを一まとめにしたチェック表１１と、チェック欄１１ｂがマーキングされた監視部位（この例では監視部位名「Ｂ」）に係る警報発生時の状況を記録するメモ欄１２とを１枚のシート上に構成するようにした。これにより、警報が発生した監視部位名「Ｂ」にマーキングするだけで、警報が発せられた監視部位が明確になり、そのときの状況をメモ欄１２に記録することで、警報が発せられた監視部位の状況を更に具体的に把握することができる。
【００１１】
図３は本発明の第２の実施形態に係る警報チェックシートの一例を示す図である。この警報チェックシート４ｂは、監視部位名を機能ごとに分類してチェック表１１を構成するものである。この例では、機能１３がＡ〜Ｃ存在する場合であり、夫々の機能１３ごとに分類してチェック表１１が備えられている。例えば、機能Ａでは、監視部位名は「Ａ」と「Ｄ」であり、機能Ｂでは、監視部位名は「Ｈ」、「Ｊ」、「Ｋ」であり、機能Ｃでは、監視部位名は「ｅ」と「ｆ」である。このときメモ欄１２は機能別に区分けして記入できるようにしても良い。
即ち、警報が発せられたとき対象監視部位が多数ある場合、チェック表１１から迅速に警報が発せられた監視部位を見つける必要がある。そのとき、監視部位名１１ａを機能ごとに分類しておけば、無駄な検索を減らして迅速に対象監視部位を見つけることができる。
また、本発明の第３の実施形態として、監視部位が存在する建屋ごとに分類して（Ａ〜Ｃが建屋名）チェック表１１を構成するようにしても良い。
即ち、警報が発せられた監視部位が見つかった場合、その監視部位がどの建屋にあるかが分かれば、即座にその場所に行って対策を打つことができる。そこで本実施形態では、監視部位が存在する建屋ごとに分類してチェック表１１を構成するものである。これにより、迅速に現場に行くことができる。
【００１２】
図４は本発明の第４の実施形態に係る警報チェックシートの一例を示す図である。この警報チェックシート４ｃは、図１に示すように、監視部位を集約して表示する警報表示盤２上に配列された監視部位と同じ配列でチェック表１１を構成するものである。即ち、図１の警報表示盤２は機能別にＡ〜Ｄに分類されて配置されているので、本実施形態の警報チェックシート４ｃのチェック表１１も、同じ配列になるように機能１３の「Ａ」は左側、「Ｂ」は中央上部、「Ｃ」は右上部、「Ｄ」は右下部に配置される。このときメモ欄１２は機能別に区分けして記入できるようにしても良い。
即ち、警報表示盤２の表示に基づいてチェック表を作成する場合、警報表示盤２に配列した監視部位と警報チェックシート４ｃの監視部位名が同じ配列になっていれば、警報を発している監視部位が警報チェックシート４ｃ上のどこにあるかを即座に把握することができる。これにより、警報表示盤２から発せられた警報が警報チェックシート４ｃ上のどの監視部位かを迅速に認識することができる。
【００１３】
図５は本発明の第５の実施形態に係る警報チェックシートの一例を示す図である。本実施形態は、チェック表１１とメモ欄１２とを監視部位名の機能ごとに１枚のシート上に構成するものである。例えば、機能「Ａ」の監視部位名だけをチェック表１１にまとめて１枚の警報チェックシート１５ａを構成し、機能「Ｂ」の監視部位名だけをチェック表１１にまとめて１枚の警報チェックシート１５ｂを構成し、機能「Ｃ」の監視部位名だけをチェック表１１にまとめて１枚の警報チェックシート１５ｃを構成する。そして各警報チェックシートに夫々メモ欄１２を備えておく。
即ち、多数の監視部位が同時に警報を発した場合、１枚のチェックシートにあるメモ欄に全ての状況を記録すると、煩雑になって監視部位と状況記録が明瞭でなくなる場合が発生する。そこで本実施形態では、機能毎に警報チェックシートを分けて作成するものである。これにより、同じ機能同士が１枚の警報チェックシートに記録され、監視部位と状況記録が明確に対応付けることができる。
【００１４】
図６は本発明の第６の実施形態に係る警報チェックシートの一例を示す図である。この警報チェックシート４ｄは、監視部位名を５０音別に分類して各チェック表１１を構成するものである。この例では、「あ行」から始まる監視部位名をまとめてチェック表１１を構成し、同様にして「か行」から「その他」まで夫々のチェック表１１を構成する。
即ち、警報が発せられたとき対象監視部位が多数ある場合、チェック表１１から迅速に警報が発せられた監視部位を見つける必要がある。そのとき、監視部位名を５０音別に分類しておけば、無駄な検索を減らして迅速に対象監視部位を見つけることができる。
また、第７の実施形態として、監視部位名をアルファベット別に分類して各チェック表１１を構成してもよい。
【００１５】
図７は本発明のチェックシートに備えられている「メモ欄」の一例を示す図である。このメモ欄１２は、少なくとも監視部位名１２ａ、警報発生年月日１２ｂ、警報発生時刻１２ｃ、当該警報の具体的な内容１２ｄ及び当該警報に対する処置内容１２ｅを記録するように構成されている。
即ち、警報が発せられた監視部位の情報としては、後日、報告書等を作成したり、警報の原因を突き止めるために最小限必要な情報がある。それは、どの部分（監視部位名１２ａ）で、何時（警報発生年月日１２ｂ、警報発生時刻１２ｃ）、どのような内容１２ｄの警報が発せられ、それに対してどのような処置１２ｅを施したかが記録される必要がある。これにより、事後の原因究明に必要な最小限の情報を得ることができる。
【００１６】
図８は警報チェックシートの実施例を示す図である。図８（ａ）はチェック表の部分を示す図、図８（ｂ）はメモ欄を示す図である。尚、実際には図８（ａ）のチェック表と図８（ｂ）のメモ欄は、１枚の警報チェックシート４ｃ上に構成されている。また、図８（ａ）のチェック表は、図１の警報表示盤２上に配列された監視部位と同じ配列で構成されているものとする。例えば、機能Ａのチェック表１１の「監視部位名」１１ａが「発電機」「ボイラ」「送風」・・・「タービン」等で構成され、警報が「発電機」と「送風」に発生すると、その監視部位名に対応するチェック欄１１ｂがマーキングされる。そして、機能Ａに対応したメモ欄１２には、「監視部位名」１２ａとして、「発電機」「送風」が記録され、発生年月日１２ｂとして例えば「２００６年１０月１日」、発生時刻１２ｃとして「１５時３５分」と記録される。また、そのときの警報内容１２ｄとして、「発電機停止、ボイラーへの微粉炭供給停止」と記録される。また、そのときの処置内容１２ｅとして、「発電機を予備発電機に切り替える。送風停止」と記録する。
即ち、警報が発せられた監視部位は、後日、報告書等を作成したり、警報の原因を突き止めるためにメモ欄１２に、その監視部位に対する最小限必要な情報を記録する必要がある。それには、どの部分（監視部位名１２ａ）で、何時（警報発生年月日１２ｂ、警報発生時刻１２ｃ）、どのような内容の警報が発せられ１２ｄ、それに対してどのような処置１２ｅを施したかが記録される必要がある。これにより、事後の原因究明に必要な最小限の情報を得ることができる。
【図面の簡単な説明】
【００１７】
【図１】本発明のチェックシートを常備した警報表示卓の一例を示す外観図である。
【図２】本発明の第１の実施形態に係るチェックシートの一例を示す図である。
【図３】本発明の第２の実施形態に係る警報チェックシートの一例を示す図である。
【図４】本発明の第４の実施形態に係る警報チェックシートの一例を示す図である。
【図５】本発明の第５の実施形態に係る警報チェックシートの一例を示す図である。
【図６】本発明の第６の実施形態に係る警報チェックシートの一例を示す図である。
【図７】本発明のチェックシートに備えられている「メモ欄」の一例を示す図である。
【図８】警報チェックシートの実施例を示す図である。
【符号の説明】
【００１８】
１  本体、２  警報表示盤、３  操作部、４  警報チェックシート、１１  チェック表、１１ａ  監視部位名欄、１１ｂ  チェック欄、１２  メモ欄、１００  警報表示卓
【図１】
2010099919.tif 000003
【図２】
2010099919.tif 000004
【図３】
2010099919.tif 000005
【図４】
2010099919.tif 000006
【図５】
2010099919.tif 000007
【図６】
2010099919.tif 000008
【図７】
2010099919.tif 000009
【図８】
2010099919.tif 000010